【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
エンジン（２０）を搭載した走行車体（２）の後部に複数条分の種子を圃場に播く直播装置（８２）を走行車体（２）に昇降自在に且つ着脱自在に設け、
直播装置（８２）は、種子タンク（８５）から種子を繰り出す繰出回転体を備える種子繰出部（８７）と、該種子繰出部（８７）から繰出される種子を放出する放出筒（９０）と、播種口（９１）を備え、
エンジン（２０）からの動力を走行車体（２）側から直播装置（８２）の繰出回転体に伝達する動力伝動経路上において走行車体（２）側と直播装置（８２）側に各々一方向クラッチを設け、走行車体（２）側の一方向クラッチの駆動トルクよりも直播装置（８２）側の一方向クラッチの駆動トルクが小さい構成としたことを特徴とする作業機。
【請求項２】
繰出回転体は種子を繰り出すための溝を複数備え、種子繰出部（８７）は溝が少ない繰出回転体（８８）と溝が多い繰出回転体（８８’）の何れかを装着可能な構成とし、溝が少ない繰出回転体（８８）を装着した場合は点播となり、溝が多い繰出回転体（８８’）を装着した場合は条播となる構成としたことを特徴とする請求項１に記載の作業機。
【請求項３】
エアーにより圃場面の泥水を吹き飛ばすためのエアー流路（９２）を、繰出回転体に隣接させて設けたことを特徴とする請求項１又は請求項２に記載の作業機。
【請求項４】
直播装置（８２）には溝切り装置（９５）を設け、該溝切り装置（９５）は回動可能なロッド（９８）に溝切り板（９９）を取り付けた構成とし、前記ロッド（９８）にピン（９８ａ）を設け、該ピン（９８ａ）を挿入する前記Ｌ字状の孔（１０３ａ）を備えるアーム（１０３）を設け、前記ピン（９８ａ）を前記Ｌ字状の孔（１０３ａ）内で移動させて溝切り板（９９）を圃場面から上昇させた状態にロッド（９８）の回動位置を保持できる構成としたことを特徴とする請求項１から請求項３の何れか１項に記載の作業機。
【手続補正２】
【補正対象書類名】明細書
【補正対象項目名】発明の名称
【補正方法】変更
【補正の内容】
【発明の名称】作業機
【手続補正３】
【補正対象書類名】明細書
【補正対象項目名】０００１
【補正方法】変更
【補正の内容】
【０００１】
この発明は、施肥装置、播種装置あるいは薬剤散布装置等の粉粒体吐出機を備えた作業機に関する。
【手続補正４】
【補正対象書類名】明細書
【補正対象項目名】０００５
【補正方法】変更
【補正の内容】
【０００５】
この苗植付部を構成するワンウエイクラッチが逆転時にクラッチ爪が摩擦で完全に外れないことがある。苗植付部は粉粒体吐出機に比較して作動時の負荷が大きな装置であるので、上記摩擦力に打ち勝つので、動力伝達軸が逆転時に苗植付部を作動させるおそれはないが、粉粒体吐出機はその作動負荷が比較的小さいため作動してしまうことがある。  
そこで本発明の課題はトラクタに粉粒体吐出機を連結した場合にトラクタの動力伝達軸が逆転時に粉粒体吐出機を作動させるおそれがない作業機を提供することである。
【手続補正５】
【補正対象書類名】明細書
【補正対象項目名】０００６
【補正方法】変更
【補正の内容】
【０００６】
本発明の上記課題は、次の解決手段で解決される。  
すなわち、請求項１に係る発明は、エンジン（２０）を搭載した走行車体（２）の後部に複数条分の種子を圃場に播く直播装置（８２）を走行車体（２）に昇降自在に且つ着脱自在に設け、直播装置（８２）は、種子タンク（８５）から種子を繰り出す繰出回転体を備える種子繰出部（８７）と、該種子繰出部（８７）から繰出される種子を放出する放出筒（９０）と、播種口（９１）を備え、エンジン（２０）からの動力を走行車体（２）側から直播装置（８２）の繰出回転体に伝達する動力伝動経路上において走行車体（２）側と直播装置（８２）側に各々一方向クラッチを設け、走行車体（２）側の一方向クラッチの駆動トルクよりも直播装置（８２）側の一方向クラッチの駆動トルクが小さい構成としたことを特徴とする作業機である。
請求項２に係る発明は、繰出回転体は種子を繰り出すための溝を複数備え、種子繰出部（８７）は溝が少ない繰出回転体（８８）と溝が多い繰出回転体（８８’）の何れかを装着可能な構成とし、溝が少ない繰出回転体（８８）を装着した場合は点播となり、溝が多い繰出回転体（８８’）を装着した場合は条播となる構成としたことを特徴とする請求項１に記載の作業機である。
請求項３に係る発明は、エアーにより圃場面の泥水を吹き飛ばすためのエアー流路（９２）を、繰出回転体に隣接させて設けたことを特徴とする請求項１又は請求項２に記載の作業機である。
請求項４に係る発明は、直播装置（８２）には溝切り装置（９５）を設け、該溝切り装置（９５）は回動可能なロッド（９８）に溝切り板（９９）を取り付けた構成とし、前記ロッド（９８）にピン（９８ａ）を設け、該ピン（９８ａ）を挿入する前記Ｌ字状の孔（１０３ａ）を備えるアーム（１０３）を設け、前記ピン（９８ａ）を前記Ｌ字状の孔（１０３ａ）内で移動させて溝切り板（９９）を圃場面から上昇させた状態にロッド（９８）の回動位置を保持できる構成としたことを特徴とする請求項１から請求項３の何れか１項に記載の作業機である。
【手続補正６】
【補正対象書類名】明細書
【補正対象項目名】０００７
【補正方法】変更
【補正の内容】
【０００７】
請求項１に係る発明によれば、走行車体（２）の後部に連結する直播装置（８２）などの作業装置へエンジン動力を伝動する動力伝動系において、走行車体（２）側に着脱しない一方向クラッチを設けることにより、作業装置の着脱により異なる作業装置を装着しても該作業装置が逆転作動しないようにできる。この走行車体（２）側に設けた一方向クラッチは、例えば苗植付装置（５２）等の駆動抵抗の大きい（例えばトルクで０．１ｋｇ・ｍ程度）各種の作業装置を想定しているから、逆転防止の構造は簡単にでき、コストダウンが図れると共に、装着する作業装置の種類に拘らず兼用できる。
【手続補正７】
【補正対象書類名】明細書
【補正対象項目名】０００８
【補正方法】変更
【補正の内容】
【０００８】
しかしながら、繰出回転体を回転させて駆動する直播装置（８２）は、その駆動抵抗が比較的小さいので、前述した走行車体（２）側に設けた一方向クラッチだけで繰出回転体の逆転を防ごうとしても、小さな負荷で逆転することがある。
【手続補正８】
【補正対象書類名】明細書
【補正対象項目名】０００９
【補正方法】変更
【補正の内容】
【０００９】
しかし本発明のように、直播装置（８２）側に一方向クラッチを設け、逆転時に該直播装置（８２）側の一方向クラッチの面圧で発生する逆回転方向の駆動トルクを直播装置（８２）の駆動抵抗に相当するトルクより小さく（例えばトルクで０．０００１ｋｇ・ｍ以下）すれば、直播装置（８２）が逆転しようとしても確実に逆転しないようにできる。この直播装置（８２）側の一方向クラッチは、高精度で高価となるが、直播装置（８２）側にのみ設けることができるため、直播装置（８２）以外の作業装置を装着する場合は不要となり、コストダウンが図れる。
また、請求項２に係る発明によれば、請求項１に係る発明の効果に加えて、溝が少ない繰出回転体（８８）を装着すれば点播が行え、溝が多い繰出回転体（８８’）を装着すれば条播が行える。
また、請求項３に係る発明によれば、請求項１又は請求項２に係る発明の効果に加えて、エアー流路（９２）からのエアーにより表土の泥水を除去して種子を播くことができる。
また、請求項４に係る発明によれば、請求項１から請求項３の何れか１項に係る発明の効果に加えて、アーム（１０３）により溝切り板（９９）を圃場面から上昇させた状態に保持できる。